(57)【特許請求の範囲】
【請求項１】
プリントを作製する画像の画像データを入力するための画像入力装置と、その画像入力装置から入力された画像データに基づいて作製したときのプリント画像を予測したシミュレート画像の画像データを生成するシミュレート演算部と、前記シミュレート画像をモニタに表示させ且つ前記モニタに表示された前記シミュレート画像に対して画像補正指示情報の手動入力を受け付ける画像補正管理部と、予め設定された演算条件と前記画像補正指示情報とに基づいてプリント作製のための画像データを生成するプリントデータ演算部とが設けられ、
前記画像補正管理部は、複数駒の前記シミュレート画像をモニタ表示させる第１表示モードと、前記第１表示モードよりも少ない駒数の画像を前記第１表示モードにおける表示サイズより大きい表示サイズで前記シミュレート画像を表示する第２表示モードとに切換え可能で、且つ、前記第２表示モードにおいて指示入力可能な前記画像補正指示情報の補正項目が前記第１表示モードにおいて指示入力可能な前記画像補正指示情報の補正項目よりも多くなるように設定されている画像プリント装置であって、
前記画像補正管理部は、プリント作製が確定した画像データについての前記画像補正指示情報とその画像データを識別するための識別情報とを対応付けて記憶するように構成されると共に、
前記第１表示モードにおいて、前記画像入力装置から入力された画像データに基づいて複数の前記シミュレート画像を前記モニタに表示する際に、前記識別情報に基づいて、前記シミュレート画像を生成した画像データに対応する前記画像補正指示情報を記憶していると判断したときは、前記シミュレート画像と対応付けて、プリント作製に使用された前記画像補正指示情報が存在することを識別可能な補正指示存在表示を、前記モニタにおける前記シミュレート画像の表示枠内に表示するように構成され、
前記画像補正管理部は、前記補正指示存在表示を、前記シミュレート画像の表示枠のうちのプリント作製範囲を示すためのプリント枠にて構成し、前記プリント枠の表示態様を変化させることによって前記画像補正指示情報の存否を表示するように構成されている画像プリント装置。
【請求項２】
プリントを作製する画像の画像データを入力するための画像入力装置と、その画像入力装置から入力された画像データに基づいて作製したときのプリント画像を予測したシミュレート画像の画像データを生成するシミュレート演算部と、前記シミュレート画像をモニタに表示させ且つ前記モニタに表示された前記シミュレート画像に対して画像補正指示情報の手動入力を受け付ける画像補正管理部と、予め設定された演算条件と前記画像補正指示情報とに基づいてプリント作製のための画像データを生成するプリントデータ演算部とが設けられ、
前記画像補正管理部は、複数駒の前記シミュレート画像をモニタ表示させる第１表示モードと、前記第１表示モードよりも少ない駒数の画像を前記第１表示モードにおける表示サイズより大きい表示サイズで前記シミュレート画像を表示する第２表示モードとに切換え可能で、且つ、前記第２表示モードにおいて指示入力可能な前記画像補正指示情報の補正項目が前記第１表示モードにおいて指示入力可能な前記画像補正指示情報の補正項目よりも多くなるように設定されている画像プリント装置であって、
前記画像補正管理部は、プリント作製が確定した画像データについての前記画像補正指示情報とその画像データを識別するための識別情報とを対応付けて記憶するように構成されると共に、
前記第１表示モードにおいて、前記画像入力装置から入力された画像データに基づいて複数の前記シミュレート画像を前記モニタに表示する際に、前記識別情報に基づいて、前記シミュレート画像を生成した画像データに対応する前記画像補正指示情報を記憶していると判断したときは、前記シミュレート画像と対応付けて、プリント作製に使用された前記画像補正指示情報が存在することを識別可能な補正指示存在表示を前記モニタに表示するように構成され、
前記画像補正管理部は、前記画像補正指示情報に含まれる補正項目のうち、プリント作製条件が変更されることにより補正を適用しない補正項目を設定条件に基づいて特定すると共に、
前記画像補正管理部は、前記補正指示存在表示を表示する際に、前記補正を適用しない補正項目の存否によって前記補正指示存在表示の表示態様を変化させるように構成されている画像プリント装置。
【発明の詳細な説明】
【０００１】
【発明の属する技術分野】
本発明は、プリントを作製する画像の画像データを入力するための画像入力装置と、その画像入力装置から入力された画像データに基づいて作製したときのプリント画像を予測したシミュレート画像の画像データを生成するシミュレート演算部と、前記シミュレート画像をモニタに表示させ且つ前記モニタに表示された前記シミュレート画像に対して画像補正指示情報の手動入力を受け付ける画像補正管理部と、予め設定された演算条件と前記画像補正指示情報とに基づいてプリント作製のための画像データを生成するプリントデータ演算部とが設けられ、前記画像補正管理部は、複数駒の前記シミュレート画像をモニタ表示させる第１表示モードと、前記第１表示モードよりも少ない駒数の画像を前記第１表示モードにおける表示サイズより大きい表示サイズで前記シミュレート画像を表示する第２表示モードとに切換え可能で、且つ、前記第２表示モードにおいて指示入力可能な前記画像補正指示情報の補正項目が前記第１表示モードにおいて指示入力可能な前記画像補正指示情報の補正項目よりも多くなるように設定されている画像プリント装置に関する。
【０００２】
【従来の技術】
かかる画像プリント装置は、画像入力装置にて写真フィルムや各種の画像記録媒体等からプリント作製対象の画像データを取り込み、その画像入力装置から入力された前記画像データにてプリント作製のための画像データを生成し、その画像データによってプリントを作製する。
このプリント作製作業において、入力された画像データに基づいて作製したプリント画像すなわち仕上がりプリントの画像をシミュレートしてモニタ表示することが良く行われている。より詳細には、比較的多数駒の小さいシミュレート画像を表示する第１表示モードと、相対的に大きいシミュレート画像をより少ない駒数で表示する第２表示モードとを有して、前記第１表示モードにおいては簡易的に、前記第２表示モードにおいてはより詳細に画像補正の指示を入力操作できるように構成されている。
画像プリント装置の操作者は、前記第１表示モードと前記第２表示モードとに表示モードを切換えながら、モニタ表示されたシミュレート画像を観察して、適宜に画像の色補正や画像のトリミング等の各種の項目の画像補正指示情報を手動入力することができ、プリント作製のための画像データの生成において、入力された画像補正指示情報が反映される。
操作者が入力した画像補正指示情報は、従来、何らかの記録媒体に記録されて保存されることはあったが、それは、元の画像データで同一の画像を再プリントするときに、前回の条件を再現するのに利用される程度であり、前記画像補正指示情報を表示させる必要もなかった。
【０００３】
【発明が解決しようとする課題】
近年、一度プリントを作製した後に、顧客の要望等によって再プリントを作製する場合において、単に最初のプリントを再現するのではなく、最初のプリント時に設定した前記画像補正指示情報とは異なる設定で前記再プリントを作製したいというプリントを作製依頼する顧客側からの要請が強くなって来たが、上記従来構成では、その要請に十分に応えることができなかった。
このような要請に応えるために、前記再プリントを作製する場合においても、前記シミュレート画像の表示画面において、前記画像補正指示情報を入力可能とすることが考えられるが、この場合、単に前記第１表示モード及び前記第２表示モードの夫々において、前回のプリント作製時に入力した前記画像補正指示情報を表示させるだけでは、操作者は、個々のシミュレート画像における前記第１表示モード及び前記第２表示モードの両方で、前記画像補正指示情報を確認する必要があり、操作者の作業負担を増大させてしまうことになる。
本発明は、かかる実情に鑑みてなされたものであって、その目的は、一度プリントを作製した後に、再プリントを作製する場合において、操作者の作業負担を可及的に軽減する点にある。
【０００４】
【課題を解決するための手段】
上記請求項１記載の構成を備えることにより、プリントを作製する画像の画像データを入力するための画像入力装置と、その画像入力装置から入力された画像データに基づいて作製したときのプリント画像を予測したシミュレート画像の画像データを生成するシミュレート演算部と、前記シミュレート画像をモニタに表示させ且つ前記モニタに表示された前記シミュレート画像に対して画像補正指示情報の手動入力を受け付ける画像補正管理部と、予め設定された演算条件と前記画像補正指示情報とに基づいてプリント作製のための画像データを生成するプリントデータ演算部とが設けられ、前記画像補正管理部は、複数駒の前記シミュレート画像をモニタ表示させる第１表示モードと、前記第１表示モードよりも少ない駒数の画像を前記第１表示モードにおける表示サイズより大きい表示サイズで前記シミュレート画像を表示する第２表示モードとに切換え可能で、且つ、前記第２表示モードにおいて指示入力可能な前記画像補正指示情報の補正項目が前記第１表示モードにおいて指示入力可能な前記画像補正指示情報の補正項目よりも多くなるように設定されている画像プリント装置において、前記画像補正管理部は、プリント作製が確定した画像データについての前記画像補正指示情報とその画像データを識別するための識別情報とを対応付けて記憶するように構成されると共に、前記第１表示モードにおいて、前記画像入力装置から入力された画像データに基づいて複数の前記シミュレート画像を前記モニタに表示する際に、前記識別情報に基づいて、前記シミュレート画像を生成した画像データに対応する前記画像補正指示情報を記憶していると判断したときは、前記シミュレート画像と対応付けて、プリント作製に使用された前記画像補正指示情報が存在することを識別可能な補正指示存在表示を、前記モニタにおける前記シミュレート画像の表示枠内に表示するように構成され、前記画像補正管理部は、前記補正指示存在表示を、前記シミュレート画像の表示枠のうちのプリント作製範囲を示すためのプリント枠にて構成し、前記プリント枠の表示態様を変化させることによって前記画像補正指示情報の存否を表示するように構成されている。
【０００５】
すなわち、比較的多数駒の小さいシミュレート画像を表示する第１表示モードと、相対的に大きいシミュレート画像をより少ない駒数で表示する第２表示モードとを有して、前記第１表示モードにおいては簡易的に、前記第２表示モードにおいてはより詳細に画像補正の指示を入力操作できるように構成されている場合において、一般に標準の表示モードとして使用されて使用頻度の高い前記第１表示モードで、過去のプリント作製に使用された前記画像補正指示情報が存在することを識別可能な補正指示存在表示を表示することで、以前のプリント作製時に操作者が入力した前記画像補正指示情報によって画像補正が実行されたか否かを直ちに識別できるので、過去に入力された前記画像補正指示情報の存否の確認が極めて容易となる。
【０００６】
ところで、第１表示モード及び第２表示モードにおいて表示する前記シミュレート画像は、前記画像補正指示情報が操作者によって入力された場合、その入力された画像補正指示情報によって前記シミュレート画像をシミュレート演算部にて再演算して再表示させるのが好適である。
このような構成においては、第１表示モードに表示されるシミュレート画像は、以前のプリント作製時に入力された前記画像補正指示情報の指示内容が反映されており、前記第２表示モードのみで入力可能な補正項目であっても、前記第１表示モードのシミュレート画像でその補正を確認できることになる。
しかしながら、上記のように、第１表示モードにおけるシミュレート画像は、表示駒数との関係で画像サイズが小さく、例えば、輝点を十字状に散乱させるいわゆるクロスフィルター等の特殊効果やいわゆるきず消しと呼ばれる写真フィルムの傷を目立たなくする特殊効果等については、そのような補正が行われた否かを識別するのが容易ではない。更に、何らかの特殊効果が施されていることを前記第１表示モードのシミュレート画像から識別できても、それが、撮影時にカメラによって加えられた特殊効果であるのか、あるいは、前記画像補正指示情報によって加えられた特殊効果であるのか区別できない場合もある。
従って、シミュレート画像が、入力された前記画像補正指示情報を反映して再表示される場合においても、前記第１表示モードの前記補正指示存在表示によって、プリント作製に使用された前記画像補正指示情報が存在することを識別できることが極めて有効である。
もって、一度プリントを作製した後に、再プリントを作製する場合において、操作者の作業負担を可及的に軽減できるに至った。
しかも、第１表示モードでは、上述のように比較的多数のシミュレート画像を表示するので、モニタ画面上の表示エリアが制限されるため、前記補正指示存在表示をシミュレート画像上に表示させることで、前記補正指示存在表示が表示エリアの一部を占有してしまうのを回避でき、モニタ画面上の表示エリアを有効利用できると共に、シミュレート画像上に表示することで操作者に対する視認性を高くすることができる。
更に、モニタ画面のシミュレート画像上に前記補正指示存在表示を表示させると、その表示のためにシミュレート画像が遮られる形となる。
そこで、前記補正指示存在表示を前記プリント枠として表示して、その表示態様を変化させて前記画像補正指示情報の存否を表現することで、前記補正指示存在表示がシミュレート画像の一部を遮る不都合を解消することができる。
【０００９】
又、上記請求項２記載の構成を備えることにより、プリントを作製する画像の画像データを入力するための画像入力装置と、その画像入力装置から入力された画像データに基づいて作製したときのプリント画像を予測したシミュレート画像の画像データを生成するシミュレート演算部と、前記シミュレート画像をモニタに表示させ且つ前記モニタに表示された前記シミュレート画像に対して画像補正指示情報の手動入力を受け付ける画像補正管理部と、予め設定された演算条件と前記画像補正指示情報とに基づいてプリント作製のための画像データを生成するプリントデータ演算部とが設けられ、前記画像補正管理部は、複数駒の前記シミュレート画像をモニタ表示させる第１表示モードと、前記第１表示モードよりも少ない駒数の画像を前記第１表示モードにおける表示サイズより大きい表示サイズで前記シミュレート画像を表示する第２表示モードとに切換え可能で、且つ、前記第２表示モードにおいて指示入力可能な前記画像補正指示情報の補正項目が前記第１表示モードにおいて指示入力可能な前記画像補正指示情報の補正項目よりも多くなるように設定されている画像プリント装置において、前記画像補正管理部は、プリント作製が確定した画像データについての前記画像補正指示情報とその画像データを識別するための識別情報とを対応付けて記憶するように構成されると共に、前記第１表示モードにおいて、前記画像入力装置から入力された画像データに基づいて複数の前記シミュレート画像を前記モニタに表示する際に、前記識別情報に基づいて、前記シミュレート画像を生成した画像データに対応する前記画像補正指示情報を記憶していると判断したときは、前記シミュレート画像と対応付けて、プリント作製に使用された前記画像補正指示情報が存在することを識別可能な補正指示存在表示を前記モニタに表示するように構成され、前記画像補正管理部は、前記画像補正指示情報に含まれる補正項目のうち、プリント作製条件が変更されることにより補正を適用しない補正項目を設定条件に基づいて特定すると共に、前記画像補正管理部は、前記補正指示存在表示を表示する際に、前記補正を適用しない補正項目の存否によって前記補正指示存在表示の表示態様を変化させるように構成されている。
すなわち、比較的多数駒の小さいシミュレート画像を表示する第１表示モードと、相対的に大きいシミュレート画像をより少ない駒数で表示する第２表示モードとを有して、前記第１表示モードにおいては簡易的に、前記第２表示モードにおいてはより詳細に画像補正の指示を入力操作できるように構成されている場合において、一般に標準の表示モードとして使用されて使用頻度の高い前記第１表示モードで、過去のプリント作製に使用された前記画像補正指示情報が存在することを識別可能な補正指示存在表示を表示することで、以前のプリント作製時に操作者が入力した前記画像補正指示情報によって画像補正が実行されたか否かを直ちに識別できるので、過去に入力された前記画像補正指示情報の存否の確認が極めて容易となる。
ところで、第１表示モード及び第２表示モードにおいて表示する前記シミュレート画像は、前記画像補正指示情報が操作者によって入力された場合、その入力された画像補正指示情報によって前記シミュレート画像をシミュレート演算部にて再演算して再表示させるのが好適である。
このような構成においては、第１表示モードに表示されるシミュレート画像は、以前のプリント作製時に入力された前記画像補正指示情報の指示内容が反映されており、前記第２表示モードのみで入力可能な補正項目であっても、前記第１表示モードのシミュレート画像でその補正を確認できることになる。
しかしながら、上記のように、第１表示モードにおけるシミュレート画像は、表示駒数との関係で画像サイズが小さく、例えば、輝点を十字状に散乱させるいわゆるクロスフィルター等の特殊効果やいわゆるきず消しと呼ばれる写真フィルムの傷を目立たなくする特殊効果等については、そのような補正が行われた否かを識別するのが容易ではない。更に、何らかの特殊効果が施されていることを前記第１表示モードのシミュレート画像から識別できても、それが、撮影時にカメラによって加えられた特殊効果であるのか、あるいは、前記画像補正指示情報によって加えられた特殊効果であるのか区別できない場合もある。
従って、シミュレート画像が、入力された前記画像補正指示情報を反映して再表示される場合においても、前記第１表示モードの前記補正指示存在表示によって、プリント作製に使用された前記画像補正指示情報が存在することを識別できることが極めて有効である。
もって、一度プリントを作製した後に、再プリントを作製する場合において、操作者の作業負担を可及的に軽減できるに至った。
更に、一度プリントを作製した後に、共通の画像データによって再度プリントを作製するときは、元の画像データが共通であるので、通常は、再プリント作製時においても以前に入力された前記画像補正指示情報が適用可能である。
ところが、プリントサイズを変更する等のプリント作製条件を変更した場合では、前記画像補正指示情報の補正項目によっては、そのまま前記画像補正指示情報を適用するのが適当でない場合がある。
【００１０】
例えば、前記画像補正指示情報にプリント作製範囲を示すためのプリント枠の位置設定が含まれているときに、そのプリント枠を画素単位で指定する場合では、プリントサイズを以前のプリント作製時よりも大きくすると、そのままのプリント枠を設定してしまうと所望のプリント範囲からずれてしまうことになる。又、前記画像補正指示情報に画像のシャープネス効果が含まれているときに、プリントサイズを以前のプリント作製時よりも小さくすると、目視ではシャープネス効果がほとんど現れなくなる。
このような場合は、該当する補正項目を適用しないこととして処理の合理化を図ると共に、前記補正指示存在表示の表示態様を変化させて操作者に対して報知することで、的確な前記画像補正指示情報の入力を促すことができる。
【００１１】
【発明の実施の形態】
以下、本発明の画像プリント装置を写真プリントシステムとして構成した場合の実施の形態を図面に基づいて説明する。
本実施の形態で例示する写真プリントシステムＤＰは、いわゆるデジタルミニラボ機として知られているものであり、図１のブロック図に示すように、現像処理済みの写真フィルムやメモリーカード，ＭＯあるいはＣＤ−Ｒ等から写真プリントを作製するための画像データを取り込んで露光用の画像データを生成するプリントデータ入力管理装置ＤＩと、プリントデータ入力管理装置ＤＩにて生成した露光用の画像データを印画紙１に露光処理する露光・現像装置ＥＰとから構成されている。
【００１２】
〔プリントデータ入力管理装置ＤＩの概略構成〕
プリントデータ入力管理装置ＤＩには、図１に概略的に示すように、写真フィルムの駒画像を読み取るフィルムスキャナ２と、フィルムスキャナ２が出力する写真フィルムの画像データを記憶する画像データ記憶装置３と、メモリーリーダ，ＭＯドライブ及びＣＤ−Ｒドライブ等を備えた外部入出力装置４と、フィルムスキャナ２や画像データ記憶装置３等の制御のほか写真プリントシステムＤＰ全体の管理を実行する主制御装置６とが備えられ、更に、主制御装置６には、仕上がりプリント画像をシミュレートしたシミュレート画像や各種の情報を表示出力するモニタ６ａと、露光条件の手動設定等や制御情報の入力操作をするための操作卓６ｂ及びマウス６ｃとが接続されている。
フィルムスキャナ２及び外部入出力装置４は、プリントを作製する画像の画像データを入力するための画像入力装置ＩＲとして機能するのであるが、フィルムスキャナ２が読取った画像データを記憶する画像データ記憶装置３についても、プリント作製後に焼き増し等の要求によって再プリントを作製する際に、再プリントの対象の画像データを画像データ記憶装置３から読み出してプリントするので、画像入力装置ＩＲとして機能する。
【００１３】
〔主制御装置６の構成〕
主制御装置６には、図１に概略的に示すように、フィルムスキャナ２及び画像データ記憶装置３から入力された画像データに基づいて作製したときのプリント画像を予測する演算処理を実行するシミュレート演算部１０と、フィルムスキャナ２及び画像データ記憶装置３から入力された画像データに基づいてプリント作製のための画像データすなわち前記露光用の画像データを生成するプリントデータ演算部１１と、これらの動作を管理するコントローラ１２とが備えられている。
【００１４】
主制御装置６の主な機能の１つに、完成プリント画像を予測して求めたシミュレート画像をモニタ６ａに表示して、操作者から種々の画像補正を受け入れる機能がある。
シミュレート画像のモニタ６ａへの表示態様としては、複数駒（具体的には６駒）のシミュレート画像をモニタ６ａに表示させる第１表示モードと、その第１表示モードよりも少ない駒数（具体的には１駒）の画像を第１表示モードにおける表示サイズよりも大きい表示サイズでシミュレート画像を表示する第２表示モードとが設定され、両者を随時切換えることができる。
前記第１表示モードでは、画像補正の補正項目としては色補正のみが可能であり、前記第２表示モードでは、画像補正の項目が前記第１表示モードよりも多く、色補正に加えて、画像のトリミング，画像の回転，並びに、クロスフィルターや画像の反転等の特殊効果等の多岐に亘る補正項目について指示入力可能としてあり、より詳細な補正を行える。
但し、このような詳細な補正を要することなく、色補正を加える程度でプリントを作製する場合がほとんどであるので、前記第１表示モードを標準の表示モードとしてある。
【００１５】
以下、この機能を、図２乃至図４の画面表示例、並びに、コントローラ１２にて実行される図５及び図６のフローチャートに基づいて説明する。
図５及び図６に示す処理は、フィルムスキャナ２及び画像データ記憶装置３の何れから画像データが入力されると処理が開始される。
コントローラ１２は、図５の処理が開始されると、既に以前にプリントが作製された画像データについての再プリントであることの指示入力と、その画像データを特定するための識別情報の指示入力があったときは、その識別情報に基づいて読み込んだ６駒の画像について補正履歴が存在するか否かを、コントローラ１２に接続されたハードディスク装置等の記憶媒体の記憶データから検索する。
この補正履歴とは、この写真プリントシステムＤＰで過去にプリントを作製し、そのプリント作製の際に、操作者が手動操作で画像補正指示情報を入力してトリミングや色補正等の画像補正を施したとき、その補正内容を、補正の対象となった画像データを識別するための識別情報と対応付けて記録したものである。
従って、初めて写真フィルムの画像をスキャナにて読取ってプリント作製を行う場合には、この補正履歴は存在しないため、前記再プリントの指示入力がないときは直ちに補正履歴が無いものと判断される。
補正履歴の検索が行われるのは、原則として、以前のプリント作製の際にフィルムスキャナ２が読取った写真フィルムの画像データが画像データ記憶装置３に記憶されており、その画像データを画像データ記憶装置３から読み出して再プリントを作製する場合である。但し、画像データ記憶装置３に画像データを記憶していない場合であっても、コントローラ１２に補正履歴が残っていれば、以前にプリントを作製した写真フィルムをフィルムスキャナ２に読取らせて再プリントを作製する際にも、補正履歴を検索して前記画像補正指示情報を活用できる。尚、前記識別情報としては、例えば、プリント作製の依頼を受ける毎に付する注文番号と、その注文番号で特定される画像データ群における各駒画像に付する連番とを用いることができる。
【００１６】
本実施の形態では、各駒画像毎に、補正履歴の有無によってシミュレート画像に重ねて表示するプリント枠の表示色を変更しており、補正履歴が無い駒画像については、プリント枠の色を標準の色（例えば黄色）に設定する（ステップ＃１，＃２）。ここで、プリント枠とは、シミュレート画像の表示枠のうちのプリント作製範囲を示すためのものであり、プリント枠に囲まれた範囲の画像が実際のプリント画像となる。
一方、補正履歴が存在するときは、その補正履歴の画像補正指示情報を今回のプリント作製に適用できるか否かを判断する（ステップ＃３）。
補正履歴は、以前のプリント作製時に実際に適用された画像補正指示情報であるので、基本的には、再プリントにおいても同一の画像補正指示情報が適用できるはずである。
しかしながら、例えば、プリントサイズを変更して印画紙１の紙幅が変更された場合等のプリント作製条件を変更した場合は、補正履歴の画像補正情報に含まれるトリミング位置のデータをそのまま適用したのでは、以前のプリント作製時のプリント範囲と異なる範囲をプリント範囲として指定してしまうことになるし、又、プリントサイズが以前のプリントサイズより小さくなったときに、例えばシャープネス等の画像補正を適用してもほどんど意味をなさないものとなる。
そこで、本実施の形態では、補正履歴の画像補正指示情報に含まれる画像補正の補正項目のうち、プリント作製条件が変換されることにより補正を適用しない項目に該当するものを特定する設定条件として、プリントサイズが変更された場合においてトリミングの画像補正が含まれているか否か、及び、プリントサイズが縮小された場合においてシャープネスの画像補正が含まれているか否かの条件を設定し、ステップ＃３における判断を実行する。
【００１７】
このように補正が適用されなかった補正項目が存在するときと、補正履歴の画像補正指示情報の補正項目を全て適用するときとの間でも、プリント枠の表示色を異ならせており、全ての補正項目を適用するときは補正適用色として設定されている色（例えば、赤色）に設定し、適用しない補正項目が存在するときは補正不適用色として設定されている色（例えば、マゼンタ）に設定する（ステップ＃４，＃６）。尚、全ての補正項目を適用するときは、プリント枠の大きさの演算も併せて行う（ステップ＃５）。
このようにプリント枠の色設定を行った後、補正履歴の存在する駒画像については、その補正履歴の画像補正指示情報のうちのシミュレート画像に影響する補正項目を適用させてシミュレート画像を求める演算処理を開始させる（ステップ＃７）。
これによって、シミュレート演算部１０がシミュレート画像を求める演算処理を開始し、モニタ画面に同時に表示できる駒数（本実施の形態では６駒）の画像について演算処理が完了すると、その旨をコントローラ１２に送信する。
【００１８】
コントローラ１２は、その信号を受け取ると（ステップ＃８）、図２に例示する前記第１表示モードでシミュレート画像を表示する（ステップ＃９）。
第１表示モードからは、上述のように、画像補正指示情報の一つとして色補正の指示入力を行うことができる。
図２の表示例では、上下２段でシミュレート画像Ｓ１〜Ｓ６を表示しており、上段右側のシミュレート画像Ｓ３のみが補正履歴を有している。シミュレート画像Ｓ３のプリント枠３０は、他のシミュレート画像Ｓ１，Ｓ２，Ｓ４，Ｓ５，Ｓ６のプリント枠３１が前記標準色（図中では実線で表現）であるのに対して、前記補正適用色（図中では間隔の広い破線で表現）となっている。シミュレート画像Ｓ３のプリント枠３０は、他のシミュレート画像Ｓ１，Ｓ２，Ｓ４，Ｓ５，Ｓ６のプリント枠３１と位置及びサイズが異なり、画像補正指示情報に画像のトリミングが含まれている場合を例示している。
【００１９】
ちなみに、この図２の表示例と同一の画像データでプリントサイズを変更した場合、上述のように、トリミングの補正項目は適用されないので、図３に示すように、プリント枠３４の大きさがトリミングを行わない標準の大きさになると共に、プリント枠３４の表示色が前記補正不適用色（図中では間隔の狭い破線で表現）となる。
この第１表示モードでは、６駒のシミュレート画像の他に、各駒毎に色補正を指示入力するための色補正ボタン表示３２が表示されている他、プリントの開始を指示するための開始ボタン表示３３が表示されている。色補正ボタン表示３２は、色補正の設定状態をテキスト表示するように構成してあり、前記補正履歴において色補正の補正項目が含まれているときは、その補正内容を初期表示する。操作者が画像補正として色補正を指示入力するときは、マウス６ｃにて色補正ボタン表示３２を操作することにより行う。
【００２０】
以上のようにして、各シミュレート画像を生成した画像データに対応する前記画像指示情報を記憶していると判断したときは、各シミュレート画像と対応付けて、以前にプリント作製に使用された画像補正指示情報が存在することを識別可能な補正指示存在表示ＣＭを、上記プリント枠３０，３１として表示しており、そのプリント枠３０，３１の表示態様（表示色）を変化させることによって画像補正指示情報の存否を表示している。
このような表示形態とすることで、補正指示存在表示ＣＭを、モニタ６ａにおけるシミュレート画像の表示枠内に表示する形態となっている。
更に、前記画像補正指示情報に含まれる補正項目のうち、プリント作製条件が変更されることにより補正を適用しない項目が存在するときも、プリント枠３０，３４の表示色を異ならせることで、前記補正指示存在表示ＣＭの表示態様を変化させている。
【００２１】
操作者が色補正を指示入力したときは（ステップ＃１２）、その駒についてシミュレート画像が再演算されて（ステップ＃１３）表示され、色補正の指示入力が反映される。
この他、第１表示モードでは、上記のように設定したプリント枠の色を変更することができる。すなわち、プリント枠はシミュレート画像に重ねて表示される関係上、シミュレート画像の色の状態によっては、シミュレート画像を観察する操作者の目にプリント枠の色が印象付けられ、的確な色補正を行い辛くする場合があるからである。
図示を省略する指示ボタン等から、操作者がプリント枠の色の変更を指示すると（ステップ＃１０）、図示を省略するが、モニタ画面上に色選択のためのウインドウを表示し、操作者が適切な色を指定する操作を受け付ける（ステップ＃１１）。
【００２２】
更に、操作者が、６駒のシミュレート画像のうちの何れか１つを特定した状態で、図示しないボタン等により前記第２表示モードへの移行を指示すると（ステップ＃１４）、図４に例示する第２表示モードでの画像表示がなされる（図６のステップ＃１８）。
この第２表示モードでは、図４に示すように、１駒のシミュレート画像を拡大して表示すると共に、前記画像補正指示情報の入力項目として、前記第１表示モードのおける色補正の指示入力の他に、画像の特殊効果処理の指示入力、画像の回転の指示入力、及び、画像のトリミングの指示入力を行える。画像の特殊効果処理としては、具体的には、画像を左右反転させる左右反転処理、画像を上下反転させる上下反転処理、フラッシュ撮影により被写体の人物等の目が赤くなる赤目現象を補正するための赤目補正処理、画像のシャープネスを調整するシャープネス処理、被写体中の輝点を十字状に散乱させるクロスフィルタ処理、及び、元のカラー画像をモノクロ調あるいはセピア調の画像に変換するカラー変換処理がある。
【００２３】
これらの画像補正指示情報の入力を受け付けるために、図４に示すように、第２表示モードでは、画像の色補正を行うための色補正ボタン表示４０と、左右反転処理，上下反転処理，赤目補正処理，シャープネス処理及びクロスフィルタ処理の各特殊効果処理を指示するための特殊効果ボタン表示４１と、何れかのカラー変換処理を指定するためのカラー変換処理ラジオボタン表示４２と、画像の回転角を指定するための回転角指定ボタン表示４３とが表示され、これらの表示をマウス６ｃにて操作することで対応する補正項目による補正を指示できる。
更に、前記画像補正指示情報の１つとして画像のトリミングを指定するために、第２表示モードでは、プリント枠４４がマウス６ｃのドラッグ操作によって各辺を位置変更可能としてある。
この第２表示モードにおいても、色補正等において前記補正履歴の画像補正指示情報が存在するときは、その補正項目が適用されていることを示す初期表示がなされる。
【００２４】
図４に示すモニタ表示がされている状態で、操作者がマウス６ｃにて色補正の指示，特殊効果処理の指示あるいは画像の回転の指示を入力操作すると（ステップ＃１９，＃２０，＃２１）、拡大表示された画像についてシミュレート画像の再演算を実行し（ステップ＃２２）、モニタ画面に再表示する（ステップ＃１８）。
一方、操作者が、マウス６ｃの操作でプリント枠４４を変形させると（ステップ＃２３）、その操作に追従する形でプリント枠４４を再描画して行く（ステップ＃２４）。
操作者が上述のような操作を行って、所望通りの画像が得られたと判断すると、図４に示す「ＯＫ」ボタン表示４５を操作することで（ステップ＃２５）、図５のステップ＃９に戻り、前記第１表示モードに復帰する。この際、図４に示す「キャンセル」ボタン表示４６を操作すると（ステップ＃２５）、前記第２表示モードにおいて操作者が入力操作した全ての指示が無視される。
【００２５】
以上のようにして、前記第１表示モード及び前記第２表示モードによって、６駒の全てについて操作者が適切な画像補正指示情報の入力操作を完了して、図２又は図３のモニタ画面表示における開始ボタン表示３３を操作すると（ステップ＃１５）、各駒画像について操作者が入力した前記画像補正指示情報を前記識別情報と対応させた状態で前記補正履歴として記憶し（ステップ＃１６）、プリントデータ演算部１１に前記画像補正指示情報と共にプリント開始指令を送信し（ステップ＃１７）、次の６駒の処理に移行する。
このプリント開始指令を受信したプリントデータ演算部１１は、予め設定された演算条件とコントローラ１２から受け取った前記画像補正指示情報とに基づいてプリント作製のための画像データすなわち露光用画像データを生成し、露光・現像装置ＥＰに送信する。
以上のように、シミュレート画像の表示と補正指示の入力とを管理するコントローラ１２は、シミュレート画像をモニタ６ａに表示させ且つモニタ６ａに表示されたシミュレート画像に対して画像補正指示情報の手動入力を受け付ける画像補正管理部ＩＣとして機能する。
【００２６】
〔露光・現像装置ＥＰの概略構成〕
露光・現像装置ＥＰは、筐体内部に、プリントデータ入力管理装置ＤＩから受け取った露光用の画像データの画像を印画紙１上に露光形成する露光ユニット２０と、露光ユニット２０を制御する露光制御装置２１と、露光ユニット２０にて露光された印画紙１を現像処理する現像処理装置２２と、筐体上面に配置された印画紙マガジン８から引き出された印画紙１を多数の搬送ローラ２５等にて現像処理装置２２へ搬送する印画紙搬送系ＰＴとが設けられている。露光ユニット２０には、ＰＬＺＴ微小光シャッターをライン状に配列した露光ヘッド２０ａが備えられており、ＰＬＺＴ光シャッタ方式を採用している。
露光・現像装置ＥＰの筐体外部には、現像処理装置２２にて現像処理及び乾燥処理された印画紙１をオーダ毎に分類するためのソータと、現像処理装置２２の排出口から排出された印画紙１をソータ（図示を省略）へ搬送するコンベア２７とが設けられている。
更に、印画紙搬送系ＰＴの搬送経路の途中には、印画紙マガジン８から引き出された長尺の印画紙１を設定プリントサイズに切断するカッタ２８が備えられている。
【００２７】
〔写真プリントの作製動作〕
次に、上記構成の写真プリントシステムＤＰによる写真プリントの作製動作を概略的に説明する。
操作者が写真フィルムの駒画像について写真プリントの作製を指示入力したときは、主制御装置６は、フィルムスキャナ２に対して写真フィルムの読み取りを指令し、フィルムスキャナ２からその写真フィルムの画像データを順次受取って、内蔵されているメモリに記録する。
一方、操作者がメモリーカード，ＭＯあるいはＣＤ−Ｒ等の記録媒体に記録された画像データについて写真プリントの作製を指示入力したときは、主制御装置６は、外部入出力装置４の該当するドライブに画像データの読み取りを指令し、そのドライブから画像データを順次受取って、メモリに記録する。
更に、以前にプリントを作製した顧客から再プリントの作製依頼を受けたときは、操作者は、前記識別情報に基づいて画像データ記憶装置３から該当する画像データを順次読取って、内蔵されているメモリに記憶する。
【００２８】
主制御装置６は、入力された画像データに基づいて、上述のようにしてシミュレート画像を求め、それをモニタ６ａに表示する。
操作者は、このモニタ６ａ上のシミュレート画像を観察して、適宜に前記第２表示モードに切換えながら、操作卓６ｂから前記画像補正指示情報の入力操作を行う。
主制御装置６は、入力された前記画像補正指示情報を反映して露光用の画像データを生成し、露光制御装置２１に送る。
露光制御装置２１は、印画紙搬送系ＰＴから得られる印画紙１の搬送情報に基づいて、印画紙１の前端が所定の露光開始位置まで搬送されて来たことを検知すると、露光ユニット２０の露光処理スピードに対応した速度で露光用画像データを露光ユニット２０へ順次送信する。
露光ユニット２０は、受け取った露光用画像データに基づいて露光ヘッド２０ａの各光シャッタを作動させて印画紙１にプリント画像の潜像を形成する。
露光ユニット２０にて露光処理された印画紙１は、印画紙搬送系ＰＴにて現像処理装置２２へ搬送されて、各現像処理タンクを順次通過することにより現像され、現像処理された印画紙１は、更に乾燥処理された後に排出口からコンベア２７上に排出され、ソータにてオーダー毎にまとめられる。
【００２９】
〔別実施形態〕
以下、本発明の別実施形態を列記する。
（１）上記実施の形態では、補正指示存在表示ＣＭとして、プリント枠３０，３１，３４を利用する場合を例示しているが、各シミュレート画像に対応して任意の形状のマークを点滅表示させたり、補正内容を直接文字表示する等、補正指示存在表示ＣＭの表示形態は種々変更可能である。
（２）上記実施の形態では、前記補正履歴が存在すれば前記プリント枠３０，３１の表示態様を変化させる構成としているが、前記補正履歴が存在するときに、前記画像補正指示情報に前記第２表示モードにおいてのみ入力可能な補正項目が含まれている場合に限ってプリント枠３０，３１の表示態様を変化させる構成とし、前記第１表示モードにおいて入力可能な補正項目（色補正）のみが前記画像補正指示情報に含まれるときは、プリント枠３０，３１の表示態様を変化させないように構成しても良い。
【００３０】
（３）上記実施の形態では、プリント枠３０，３１，３４の表示色を、操作者が任意に変更できるように構成しているが、前記第１表示モードにおいて、前記画像補正指示情報の入力操作の対象となっている駒を明示するために、シミュレート画像を枠で囲むように構成するときは、その枠の色をも操作者が任意に設定変更できるように構成しても良い。
（４）上記実施の形態では、ＰＬＺＴ光シャッタ方式の露光ユニット２０を備えて印画紙１上に画像を露光形成してプリントを作製する場合を例示しているが、いわゆるレーザ露光式の画像露光装置にてプリントを作製する構成としても良いし、更には、インクジェット式のプリント手段にて各種の記録紙に画像を形成する構成としても良く、プリントを作製するための具体的手段は種々変更可能である。
【００３１】
【発明の効果】
上記請求項１記載の構成によれば、比較的多数駒の小さいシミュレート画像を表示する第１表示モードと、相対的に大きいシミュレート画像をより少ない駒数で表示する第２表示モードとを有して、前記第１表示モードにおいては簡易的に、前記第２表示モードにおいてはより詳細に画像補正の指示を入力操作できるように構成されている場合において、一般に標準の表示モードとして使用されて使用頻度の高い前記第１表示モードで、過去のプリント作製に使用された前記画像補正指示情報が存在することを識別可能な補正指示存在表示を表示することで、以前のプリント作製時に操作者が入力した前記画像補正指示情報によって画像補正が実行されたか否かを直ちに識別できるので、過去に入力された前記画像補正指示情報の存否の確認が極めて容易となる。
しかも、第１表示モードでは、上述のように比較的多数のシミュレート画像を表示するので、モニタ画面上の表示エリアが制限されるため、前記補正指示存在表示をシミュレート画像上に表示させることで、前記補正指示存在表示が表示エリアの一部を占有してしまうのを回避でき、モニタ画面上の表示エリアを有効利用できると共に、シミュレート画像上に表示することで操作者に対する視認性を高くすることができる。
更に、モニタ画面のシミュレート画像上に前記補正指示存在表示を表示させると、その表示のためにシミュレート画像が遮られる形となるが、前記補正指示存在表示を前記プリント枠として表示して、その表示態様を変化させて前記画像補正指示情報の存否を表現することで、前記補正指示存在表示がシミュレート画像の一部を遮る不都合を解消することができる。
【００３３】
又、上記請求項２記載の構成によれば、比較的多数駒の小さいシミュレート画像を表示する第１表示モードと、相対的に大きいシミュレート画像をより少ない駒数で表示する第２表示モードとを有して、前記第１表示モードにおいては簡易的に、前記第２表示モードにおいてはより詳細に画像補正の指示を入力操作できるように構成されている場合において、一般に標準の表示モードとして使用されて使用頻度の高い前記第１表示モードで、過去のプリント作製に使用された前記画像補正指示情報が存在することを識別可能な補正指示存在表示を表示することで、以前のプリント作製時に操作者が入力した前記画像補正指示情報によって画像補正が実行されたか否かを直ちに識別できるので、過去に入力された前記画像補正指示情報の存否の確認が極めて容易となる。
しかも、プリントサイズを変更する等のプリント作製条件を変更した場合では、前記画像補正指示情報の補正項目によっては、そのまま前記画像補正指示情報を適用するのが適当でない場合があるが、このような場合に、該当する補正項目を適用しないこととして処理の合理化を図ると共に、前記補正指示存在表示の表示態様を変化させて操作者に対して報知することで、的確な前記画像補正指示情報の入力を促すことができる。
【図面の簡単な説明】
【図１】本発明の実施の形態にかかる写真プリントシステムのブロック構成図
【図２】本発明の実施の形態にかかる第１表示モードでのモニタ画面表示例
【図３】本発明の実施の形態にかかる第１表示モードでのモニタ画面表示例
【図４】本発明の実施の形態にかかる第２表示モードでのモニタ画面表示例
【図５】本発明の実施の形態にかかるフローチャート
【図６】本発明の実施の形態にかかるフローチャート
【符号の説明】
６ａ              モニタ
１０              シミュレート演算部
１１              プリントデータ演算部
３０，３１，３４  プリント枠
ＣＭ              補正指示存在表示
ＩＣ              画像補正管理部
ＩＲ              画像入力装置
【図１】
0003709932.tif 000002
【図２】
0003709932.tif 000003
【図３】
0003709932.tif 000004
【図４】
0003709932.tif 000005
【図５】
0003709932.tif 000006
【図６】
0003709932.tif 000007